(57)【特許請求の範囲】
【請求項１】
間隔をおいて隣り合う柱の間に、板材と、該板材の縁に設けられ内装側から突き出している長さが前記柱よりも短い枠材と、前記板材の一面に形成され、前記枠材よりも薄い厚さを有する断熱材と、を有する断熱パネルを、取り付け、該断熱パネルの外装側の面に、第１スペーサを取り付ける工程と、
該断熱パネルの断熱材との間に断熱層の空隙を形成させた状態で、該断熱パネル及び前記柱に内装材を取り付ける工程と、
該断熱パネルの板材との間に静止空気層を構成する断熱層の空隙を形成させた状態で、該断熱パネルに取り付けられた前記第１スペーサ及び前記柱に全面的に遮熱シートを取り付ける工程と、
該遮熱シートを介して前記第１スペーサ及び前記柱に対して第２スペーサを固定する工程と、
該遮熱シートの一面との間に断熱層の空隙を形成させた状態で、前記第２スペーサに外装板を取り付ける工程とを有し、
合計３層の空隙を形成することを特徴とする遮熱及び断熱壁構造物の製造方法。
【請求項２】
前記遮熱シートが、輻射熱反射率９０％以上である請求項１記載の遮熱及び断熱壁構造物の製造方法。
【請求項３】
前記遮熱シートが、アルミニウム箔と樹脂フィルムと発泡樹脂フィルムとが積層されてなる請求項２記載の遮熱及び断熱壁構造物の製造方法。
【請求項４】
板材、該板材の縁に設けられた枠材及び該板材の一面に形成され、前記枠材よりも薄い厚さを有する断熱材を有し、間隔をおいて隣り合う柱の間に取り付けられ、前記枠の、内装側から突き出している長さが前記柱よりも短い断熱パネルと、該断熱パネルの外装側の面に取り付けられた第１スペーサと、該断熱パネルの断熱材との間に断熱層の空隙を形成させた状態で、該断熱パネル及び前記柱に取り付けられた内装材と、該断熱パネルの板材との間に静止空気層を構成する断熱層の空隙を形成させた状態で、該断熱パネルに取り付けられた前記第１スペーサ及び前記柱に全面的に取り付けられた遮熱シートと、該遮熱シートを介して前記第１スペーサ及び前記柱に対して固定された第２スペーサと、該遮熱シートの一面との間に断熱層の空隙を形成させた状態で、前記第２スペーサに取り付けられた外装板と、を備え、合計３層の空隙を備える遮熱及び断熱壁構造物。
【請求項５】
前記遮熱シートが、輻射熱反射率９０％以上の材料からなる請求項４記載の遮熱及び断熱壁構造物。
【請求項６】
前記遮熱シートが、アルミニウム箔と樹脂フィルムと発泡樹脂フィルムとが積層されてなる請求項５記載の遮熱及び断熱壁構造物。
【発明の詳細な説明】
【技術分野】
【０００１】
本発明は、遮熱及び断熱壁構造物の製造方法並びに遮熱及び断熱壁構造物に関する。
【背景技術】
【０００２】
建築構造物において、壁の断熱性がよいことは、室内の冷房や暖房の効果を高め、また、省エネルギーに役立ち、ひいては節電やＣＯ２削減の効果がある。したがって、壁の断熱性について種々に検討されている。
【０００３】
柱・間柱の屋外側にアルミ熱線反射材を取り付け、該アルミ熱線反射材の屋外側に通気胴縁を、間隔を存して取り付け、該空気胴縁の屋外側に外壁仕上げ材を取り付け、該アルミ熱線反射板の屋内側で前記柱・間柱の間隔区間内に、発泡樹脂を吹き付け、該間柱の屋内側に内壁下地と内壁仕上げ材を取り付ける工程を含む遮熱建築材の構築方法がある（特許文献１）。
【先行技術文献】
【特許文献】
【０００４】
【特許文献１】特開２００７−１３８５５８号公報
【発明の概要】
【発明が解決しようとする課題】
【０００５】
特許文献１に記載された遮熱建築材の構築方法により構築された建築材は、アルミ熱線反射材と発泡樹脂とにより遮熱を図っているが、アルミ熱線反射材と発泡樹脂とが密着しているため、アルミ熱線反射材から発泡樹脂に、また発泡樹脂からアルミ熱線反射材に熱伝導が生じ易くなっている。そのため熱伝導により熱が室内に侵入するおそれや、室内の熱が屋外へ放散するおそれがあり、遮熱効果は十分でなかった。また、発泡樹脂を吹き付ける作業に手間がかかっていた。
また、建築構造物に対する遮熱効果の要求は止むことがなく、更なる遮熱効果の向上が求められている。
【０００６】
本発明は、上記の問題を有利に解決するものであり、部材が密着することによる熱伝導を抑制することにより遮熱効果が高い遮熱及び断熱壁構造物を、容易に製造することのできる遮熱及び断熱壁構造物の製造方法並びに遮熱及び断熱壁構造物を提供することを目的とする。
【課題を解決するための手段】
【０００７】
本発明の一側面の遮熱及び断熱壁構造物の製造方法は、間隔をおいて隣り合う柱の間に、板材と、該板材の縁に設けられ内装側から突き出している長さが前記柱よりも短い枠材と、前記板材の一面に形成され、前記枠材よりも薄い厚さを有する断熱材と、を有する断熱パネルを、取り付け、該断熱パネルの外装側の面に、第１スペーサを取り付ける工程と、
該断熱パネルの断熱材との間に断熱層の空隙を形成させた状態で、該断熱パネル及び前記柱に内装材を取り付ける工程と、
該断熱パネルの板材との間に静止空気層を構成する断熱層の空隙を形成させた状態で、該断熱パネルに取り付けられた前記第１スペーサ及び前記柱に全面的に遮熱シートを取り付ける工程と、
該遮熱シートを介して前記第１スペーサ及び前記柱に対して第２スペーサを固定する工程と、
該遮熱シートの一面との間に断熱層の空隙を形成させた状態で、前記第２スペーサに外装板を取り付ける工程とを有し、
合計３層の空隙を形成することを特徴とする。
【０００８】
本発明の遮熱及び断熱壁構造物の製造方法においては、前記遮熱シートが、輻射熱反射率９０％以上であることが好ましく、また、前記遮熱シートがアルミニウム箔と樹脂フィルムと発泡樹脂フィルムとが積層されてなるものであることが、より好ましい。
【０００９】
また、本発明の別の側面の遮熱及び断熱壁構造物は、板材、該板材の縁に設けられた枠材及び該板材の一面に形成され、前記枠材よりも薄い厚さを有する断熱材を有し、間隔をおいて隣り合う柱の間に取り付けられ、前記枠の、内装側から突き出している長さが前記柱よりも短い断熱パネルと、該断熱パネルの外装側の面に取り付けられた第１スペーサと、該断熱パネルの断熱材との間に断熱層の空隙を形成させた状態で、該断熱パネル及び前記柱に取り付けられた内装材と、該断熱パネルの板材との間に静止空気層を構成する断熱層の空隙を形成させた状態で、該断熱パネルに取り付けられた前記第１スペーサ及び前記柱に全面的に取り付けられた遮熱シートと、該遮熱シートを介して前記第１スペーサ及び前記柱に対して固定された第２スペーサと、該遮熱シートの一面との間に断熱層の空隙を形成させた状態で、前記第２スペーサに取り付けられた外装板と、を備え、合計３層の空隙を備えることを特徴とする。
【００１０】
また、本発明の遮熱及び断熱壁構造物は、前記遮熱シートが、輻射熱反射率９０％以上であることが好ましく、アルミニウム箔と樹脂フィルムと発泡樹脂フィルムとが積層されてなることが、より好ましい。
【発明の効果】
【００１１】
本発明によれば、断熱パネルと遮熱シートを備え、断熱パネルと内装材との間、断熱パネルと遮熱シートとの間及び遮熱シートと外装板との間にそれぞれ空隙を有する遮熱及び断熱壁構造物を容易に製造することができる。また、これらの空隙と、断熱パネルと遮熱シートとにより、遮熱及び断熱効果の高い遮熱及び断熱壁構造物とすることができる。
【図面の簡単な説明】
【００１２】
【図１】本発明の一実施形態の遮熱及び断熱壁構造物の横断面図である。
【図２】図１の遮熱及び断熱壁構造物に用いられる遮熱シートの説明図である。
【発明を実施するための形態】
【００１３】
以下、本発明の遮熱及び断熱壁構造物の製造方法及び遮熱及び断熱壁構造物について、図面も用いつつ具体的に説明する。
【００１４】
図１に示す本発明の一実施形態の遮熱及び断熱壁構造物１は、間隔を空けて設けられた角柱２の間に、断熱パネル３が取り付けられている。この断熱パネル３は、２本の角柱２の間隔とほぼ同じ長さを有する板材４と、この板材４の内装側の面において、板材４の幅方向両端に取り付け固定された長方形断面の角柱よりなる２個の枠材５と、これらの枠材５の間で、板材４に取り付け固定された長方形断面の角柱よりなる補強材６と、枠材５と補強材６との間で、板材４の表面に形成された断熱材７とを有している。断熱パネル３は、別の実施形態として、これらの部材に加えて、後述する第１スペーサ９を有する構成とすることもできる。なお、後述する遮熱シート１０は、一例では高さが１２００ｍｍ程度であり、複数枚の遮熱シート１０の上下端を、横桟により気密状態で固定しつつ高さ方向に積み上げて所期した高さの遮熱壁とすることができる。断熱パネル３は、耐震性を考慮した強度を有するパネルであることが、遮熱及び断熱壁構造物１の高い耐震性を確保するために好ましい。
【００１５】
断熱パネル３の板材４は、合板やプラスチック板等の、建築材として一般的な構造用材料からなる。枠材５及び補強材６は、図示した例では木材よりなるが、木材に限定されず、建築材として一般的な材料を用いることができる。板材４の厚さは特に限定しないが、建築基準法に照らし合わせて構造的耐力のある板材とする。図示した例では９ｍｍである。
枠材５は、図示した例では木材よりなる角材であって、板材４に対して釘や木ねじ等によって固定されている。枠材５が、板材４の内装側表面から突き出ている長さは、隣接する角柱２の四角形断面の一辺の長さよりも短い。例えば、角柱２の一辺は１２０ｍｍであり、枠材５が、板材４の内面側表面から突き出ている長さは９０ｍｍである。角柱２の一辺が１０５ｍｍの場合には、枠材５が、板材４の内面側表面から突き出ている長さを９０ｍｍよりも短くすればよい。
補強材６は、図示した例では木材よりなる角材であって、板材４に対して釘や木ねじ等によって固定されている。補強材６は、図示した例では２本の枠材５の間に１本が設けられている。もっとも、補強材６の本数は、隣り合う柱の間隔に応じて調整することができる。例えば柱の間隔が比較的短い場合には補強材６を必ずしも要しない。また、例えば柱の間隔が比較的長い場合には補強材６を２本以上設けることができる。補強材６が、板材４の内装側表面から突き出ている長さは、枠材５と同じにしている。例えば、角柱２の一辺は１２０ｍｍである場合に、補強材６が、板材４の内面側表面から突き出ている長さは９０ｍｍである。これにより、後述する内装材８は枠材５及び補強材６の各々に取り付け固定される。
断熱パネル３を構成する部材、すなわち、板材４、枠材５、補強材６及び第１スペーサ９は、木材の場合、防腐、防蟻のためにホウ酸処理されたものであることが好ましい。
【００１６】
断熱パネル３の断熱材７は、ウレタン樹脂やフェノール樹脂やポリスチレン樹脂等の発泡樹脂、グラスウール等のガラス繊維等を用いることができる。断熱材７は、板材４に対して釘、木ねじ等の公知の手段により取り付けられて板材４の表面上に形成される。図１に示した断面に示されるように、断熱材７が板材４の表面から形成されている厚さは、枠材５及び補強材６が、板材４の内装側表面から突き出ている長さよりも薄い。例えば、枠材５及び補強材６の上記長さが９０ｍｍである場合に、断熱材７の厚さは６０ｍｍである。断熱材７の厚さは、遮熱及び断熱壁構造物１が用いられる地域に応じて適宜変更することができる。断熱パネル３は、寒冷地の建築物の用途に適合する適切な厚さの断熱材７を用いることができる構造を有していて、温暖地では断熱材７の厚さが相対的に薄いものを用いることができる。例えば温暖地の建築物には、断熱材７の厚さは６０ｍｍ以下とすることができる。
【００１７】
断熱パネル３は、隣り合う２本の角柱２の間に嵌め込まれ、枠材５及び補強材６の、板材４の表面から突き出ている先端面と、角柱２の内装側の面とが、同一平面になるような状態で、角柱２に枠材５が固定される。建築基準法に準拠した構造耐力を有する固定手段とし、遮熱及び断熱壁構造物１の強度確保のために釘又は木ねじを用いることが好ましい。断熱パネル３は、２本の角柱２の間に嵌め込み可能なサイズかつ、枠材５と角柱２との隙間がなるべく小さくなるようなサイズであり、これにより断熱パネル３と角柱２との間で空気が流通するのを抑制している。
【００１８】
断熱パネル３の内装側において、枠材５及び補強材６の先端面並びに角柱２の内装側の面に密着するように内装材８が取り付け固定されている。内装材８の材料は、内装材として用いられているものであれば特に問わない。また、内装材８を角柱２や断熱パネル３の枠材５や補強材６に固定する手段は特に限定されず、例えば釘又は木ねじ等を用いることができる。
内装材８が取り付け固定されたとき、内装材８と断熱材７との間には空隙が形成されている。内装材８と断熱材７との間は、断熱効果を得るために１０ｍｍ以上の空隙であることが好ましい。
【００１９】
断熱パネル３の板材４の外装側の面において、板材４を挟んで補強材６と対向する位置に、第１スペーサ９が当該板材４に取り付け固定されている。本実施形態の第１スペーサ９は、縦桟を兼ねている。第１スペーサ９は、長方形断面の角柱よりなり、枠材５や補強材６と同様に、木材よりなるものとすることができる。もっとも、木材に限定されず、建築材として一般的な材料を用いることができる。第１スペーサ９が、板材４の外装側の表面から外装側に突出している長さは、その第１スペーサ９の長さと、板材４の厚さと、補強材６が板材４の内装側表面から突き出ている長さとの合計が、枠材５に隣接する角柱２の一面の長さ（角柱２の一辺の長さ）と同じになるように調整されている。例えば、第１スペーサ９の長さが２１ｍｍ、板材４の厚さが９ｍｍ、補強材６の、板材４の内装側表面から突き出ている長さが９０ｍｍであり、これらの合計は角材２の一辺の長さ１２０ｍｍと同じである。
第１スペーサ９は、断熱パネル３とは別の部材として、断熱パネル３の角柱２への取り付けとは別工程で断熱パネル３に取り付けることができる。別の実施形態では、第１スペーサ９は、断熱パネル３の構成要素として、断熱パネル３の作製時に他の部材とともに組み立てることができる。
【００２０】
角柱２及び断熱パネル３の外装側で、遮熱シート１０が、角柱２及び第１スペーサ９の外装側の面に取り付け固定されている。遮熱シート１０は輻射熱反射率が９０％以上であることが好ましい。より好ましくは９５％以上である。遮熱シート１０は、アルミニウム箔と樹脂フィルムと発泡樹脂フィルムとの積層シートであることが、より好ましい。
また、遮熱シート１０は、遮熱のみならず気密性を有するシートであることが好ましい。遮熱シート１０が遮熱気密シートであることにより、遮熱シート１０を通して内装側と外装側とで空気が流通するのを防止して、遮熱及び断熱壁構造物１の内部において温度差が大きくなるのを抑制し、よって内部結露を防止することができる。
このような遮熱シート１０の具体例は、リフレクティックス社の商品名リフレクティックスがある。リフレクティックスの輻射熱反射率は、約９９％であって輻射熱反射率が高く、また、厚さが８ｍｍ程度であって遮熱及び断熱壁構造物の厚さを増加させる影響がほとんどない。さらに、リフレクティックスは、高い気密性と透湿抵抗を有している。
【００２１】
図２に遮熱シート１０の一例を示す。図２において遮熱シート１０はロール状に巻かれた形態で示され、積層構造の理解を容易にするために積層された各層を分離して模式的に示されている。図示された遮熱シート１０は、リフレクティックスのシートであり、アルミニウム箔層１０ａと、ポリエチレンフィルム層１０ｂと、発泡ポリエチレンフィルム層１０ｃと、ポリエチレンフィルム層１０ｄと、発泡ポリエチレンフィルム層１０ｅと、ポリエチレンフィルム層１０ｆと、アルミニウム箔層１０ｇとが順次に積層された、７層構造の積層シートである。アルミニウム箔層１０ａ、アルミニウム箔層１０ｇは輻射熱を反射する機能を有する。アルミニウム箔層１０ａ、アルミニウム箔層１０ｇの厚さは７μｍ程度であり、厚さが薄く、またアルミニウムの純度が９９．９９％と高いことにより輻射熱反射率を高めている。発泡ポリエチレンフィルム層１０ｃ、１０ｅは発泡された空気層を有する。
【００２２】
このような遮熱シート１０を、角柱２及び第１スペーサ９に取り付ける手段は特に問わず、釘又は木ねじ等で固定することができる。また、遮熱シート１０をステープルで仮止めし、後述する第２スペーサ１１の角柱２及び第１スペーサ９へ取り付けの際に、遮熱シート１０を第２スペーサ１１と共に角柱２及び第１スペーサ９に釘又は木ねじ等で取り付け固定してもよい。更に、遮熱シート１０と角柱２及び第１スペーサ９との間に気密性両面粘着テープ（ブチルテープ）を介在させて気密性を高めてもよい。遮熱シート１０が角柱２及び第１スペーサ９に取り付けられることにより、遮熱シート１０と断熱パネル３の板材４との間には、空隙が形成されている。この空隙は、遮熱シート１０が角柱２及び第１スペーサ９に密着することにより、他の個所からの空気の流通がなく遮熱効果の高い、静止空気層を構成する。遮熱シート１０と断熱パネル３の板材４との間は、遮熱効果を得るために１０ｍｍ以上の空隙であることが好ましい。図示した例では２１ｍｍである。
【００２３】
遮熱シート１０を挟んで角柱２及び第１スペーサ９のそれぞれと対向する位置に、第２スペーサ１１が遮熱シート１０を介して角柱２及び第１スペーサ９のそれぞれに固定されている。第２スペーサ１１は、本実施形態では角柱２又は第１スペーサ９に取り付けて後述する外装板１２の釘止めに用いる胴縁を兼ねている。長方形断面の角柱よりなり、枠材５や補強材６と同様に、木材よりなるものとすることができる。もっとも、木材に限定されず、建築材として一般的な材料を用いることができる。第２スペーサ１１を、角柱２及び第１スペーサ９に取り付ける手段は特に問わない。例えば釘又は木ねじ等で取り付け固定することができる。
【００２４】
第２スペーサ１１の外装側の面に外装板１２が取り付け固定されている。外装板１２の材料は、外装材として用いられているものであれば特に問わない。また、外装板１２を第２スペーサ１１に固定する手段は建築基準法に適合する手段により、例えば釘又は木ねじを用いることができる。また、外装板１２と第２スペーサ１１とを、角柱２及び第１スペーサ９に釘又は木ねじにより同時に固定することもできる。外装板１２が第２スペーサ１１に取り付け固定されることにより、遮熱シート１０と外装板１２との間には空隙が形成されている。遮熱シート１０と外装板１２との間は、遮熱効果を得るために１０ｍｍ以上の空隙であることが好ましい。図示した例では２１ｍｍである。
【００２５】
以上述べた本実施形態の遮熱及び断熱壁構造物１の効果について説明する。
本実施形態の遮熱及び断熱壁構造物１は、遮熱シート１０から空隙を隔てて断熱パネル３の断熱材７を備えている。遮熱シート１０は、太陽光線により発生する輻射熱、すなわち電磁波を反射して、遮熱シート１０の内装側に向かう輻射熱（熱移動）を防止する。断熱材７は、熱の対流、伝導を防止する断熱材の効果を有し、また蓄熱材としての効果も有する。したがって、遮熱シート１０と断熱材７のそれぞれが有する遮熱、断熱効果が最大限に発揮される。しかも、遮熱シート１０と断熱材７とが密着せず、空隙により隔てられているから、遮熱シート１０から断熱材７への、逆に断熱材７から遮熱シート１０への熱移動が回避される。このため、外部から室内へ向かう輻射熱のうち遮熱シート１０で反射された残余の輻射熱が熱移動して室内に侵入することを防止することができ、逆に室内の熱が外部に放散するのを防止することができる。また、遮熱シート１０と断熱材７との間が空隙であることは、遮熱シート１０と断熱材７との間に空気による断熱層が形成されていることになる。つまり遮熱シート１０と断熱材７との間に形成された空隙によって、熱移動を防ぐと共に断熱効果をより高めることができる。
しかも、外装板１２と遮熱シート１０との間に空隙が形成されていので、この空隙が断熱層となり、断熱効果を有する。また、内装材８と断熱材７との間にも空隙が形成されているので、この空隙が断熱層となり、断熱効果も有する。
このため、夏季においては、外装板１２と遮熱シート１０との間に形成された空隙と、遮熱シート１０により太陽光線により発生する輻射熱が反射され、遮熱シート１０と断熱パネル３との間に形成された空隙により熱移動が遮断され、断熱パネル３の断熱材７により断熱され、内装材８と断熱材７との間に形成された空隙により断熱される。また、冬期においては、内装材８と断熱材７との間に形成された空隙により断熱されかつ蓄熱され、断熱材７により断熱かつ蓄熱され、遮熱シート１０と断熱パネル３との間に形成された空隙により熱移動が遮断され、遮熱シート１０により、断熱材７に蓄熱された輻射熱が反射され、外装板１２と遮熱シート１０との間に形成された空隙により熱移動が遮断される。
このように本実施形態の遮熱及び断熱壁構造物１は、遮熱シート１０と断熱材７と、合計３つの空隙を備える構成により、遮熱効果と断熱効果の高い遮熱及び断熱壁構造物とすることができる。
また、本実施形態の遮熱及び断熱壁構造物１は、遮熱シート１０により太陽の輻射熱の大部分を反射しているので、遮熱及び断熱壁構造物１の内部で温度差が生じにくい。
【００２６】
また、本実施形態の遮熱及び断熱壁構造物１は断熱パネル３を用意し、用意された断熱パネル３を角柱２の間に嵌め込むことにより、本実施形態の遮熱及び断熱壁構造物１を容易にかつ、効率よく組み立てることができる。具体的には、断熱パネル３は、内装側において枠材５及び補強材６と断熱材７との段差により凹部が形成されているので、断熱パネル３を２本の角柱２の間に取り付け固定する工程のみで、内装材８と断熱材７との間の空隙を確保することができる。また、特に第１スペーサを断熱パネル３の構成要素として有する実施形態においては、断熱パネル３は、外装側において第１スペーサが板材４から突出しているので、かかる断熱パネル３を２本の角柱２の間に取り付け固定する工程のみで、遮熱シート１０と断熱パネル３の板材４との間の空隙を確保することができる。これにより、内装材８と断熱材７との間の空隙を形成するための工程が簡略化され、遮熱シート１０と断熱パネル３の板材４との間の空隙を形成するための工程が簡略化される。よって、断熱パネル３を用いない場合に比べて建築現場における施工が容易である。
また、本実施形態の遮熱及び断熱壁構造物は、角柱２の一辺の長さの大小に適合させて、枠材５及び補強材６の、板材４の内面側表面から突き出ている長さを調節した断熱パネル３を用意することができる。かかる断熱パネル３を２本の角柱２の間に取り付け固定する工程により、角柱２の太さに合わせた遮熱及び断熱壁構造物１を容易に製造することができる。
また、本実施形態の遮熱及び断熱壁構造物１は、断熱パネル３の断熱材７の厚さを変更することで寒冷地仕様、温暖地仕様というように、地域に合わせた断熱パネル３をフレキシブルに用意することができる。よって温暖地、寒冷地の断熱基準に沿った遮熱及び断熱壁構造物１を容易に製造することができる。
また、本実施形態の遮熱及び断熱壁構造物１は、断熱パネル３が耐震性を考慮した強度を有するパネルであることにより、高い耐震性を有する遮熱及び断熱壁構造物を得ることができる。
また、本実施形態の遮熱及び断熱壁構造物１は、遮熱シート１０が遮熱気密シートであることにより、そのシートの遮熱機能によって遮熱シート１０から外装側の遮熱壁内部における温度差を小さくすることができ、また、遮熱シート１０から内装側の遮熱壁内部における温度差を小さくすることができる。更に、遮熱シート１０の気密機能によって遮熱シート１０を通して内装側と外装側とで空気が流通するのを防止することができ、これによって空気の流通による熱移動を防止して遮熱シート１０から外装側の遮熱壁内部における温度差及び遮熱シート１０から内装側の遮熱壁内部における温度差を、更に小さくすることができる。これらのことから、遮熱及び断熱壁構造物１は、内部結露を防止することができる。
以上述べたように、本実施形態の遮熱及び断熱壁構造物１は、耐震性、遮熱性、断熱性、気密性に優れ、内部結露を防止できる遮熱及び断熱壁構造物である。
【００２７】
本発明の実施形態の遮熱及び断熱壁構造物１を製造する方法の一例について以下説明する。
まず、断熱パネル３を組み立てて予め用意する。断熱パネル３は、板材４に対して枠材５及び補強材６を釘等で取り付け固定し、また、板材４に対して釘等で断熱材７を取り付けることにより組み立てられる。断熱パネル３は、前述したように、第１スペーサ９を更に含む構成として組み立ててもよい。断熱パネル３が、第１スペーサ９を含む構成は、本実施形態の遮熱及び断熱壁構造物１の建築現場での施工をより容易にするので好ましい構成である。
【００２８】
用意された断熱パネル３を、隣り合う２本の角柱２の間に釘等で取り付け固定する。このとき、枠材５及び補強材６の、板材４の表面から突き出ている先端面と、角柱２の内装側の面とが、同一平面になるようにする。
【００２９】
次に、断熱パネル３の内装側においては、内装材８を断熱パネル３及び角柱２に釘等で取り付け固定する。また、断熱パネル３の外装側においては、必要に応じて第１スペーサ９を断熱パネル３に取り付け固定してから、遮熱シート１０を断熱パネル３及び角柱２に取り付け固定する。断熱パネル３が、第１スペーサ９を含む構成の場合は、第１スペーサ９を断熱パネル３に取り付け固定する工程を省略することができ、建築現場での施工が容易である。
【００３０】
この内装材８の取り付けと、遮熱シート１０の取り付けとの順序は問わず、先に遮熱シート１０を取り付けて固定してから、内装材８を取り付けて固定してもよい。遮熱シート１０は、ステープルで仮止めしてから、第２スペーサ１１と一緒に断熱パネル３及び角柱２に取り付け固定してもよい。また、遮熱シート１０を取り付ける前に、角柱２及び第１スペーサ９に気密性両面粘着テープ（ブチルテープ）を貼り付け、この気密性両面粘着テープを介在させて遮熱シート１０を取り付けてもよい。
【００３１】
次に、第２スペーサ１１を、遮熱シート１０を介して角柱２及び第１スペーサ９のそれぞれに取り付け固定した後に、外装板１２を第２スペーサ１１に取り付け固定する。
【００３２】
以上の工程により、図１に示した遮熱及び断熱壁構造物１を製造することができる。また、上記の工程では、予め用意した断熱パネル３を用いているので、建築現場における施工能率を高めることができ、また、遮熱及び断熱壁構造物１を容易に組み立てることができる。
【００３３】
以上、図面を用いて本発明の実施形態について説明したが、本発明の遮熱及び断熱壁構造物及びその製造方法は、図面に示された実施形態に限定されず、本発明の趣旨を逸脱しない限り、幾多の変形をすることが可能である。
【符号の説明】
【００３４】
１  遮熱及び断熱壁構造物
２  角柱
３  断熱パネル
４  板材
５  枠材
６  補強材
７  断熱材
８  内装材
９  第１スペーサ
１０  遮熱シート
１１  第２スペーサ
１２  外装板
【図１】
0006502629.tif 000002
【図２】
0006502629.tif 000003